(57)【要約】【課題】噴射音が小さく、トイレの個室内等において使用した場合に、使用したことが他人に気づかれにくい、トイレ用定量噴射型エアゾール製品およびトイレ用定量噴射型エアゾール製品の使用方法を提供する。【解決手段】原液および噴射剤を含むエアゾール組成物が充填されたエアゾール容器と、エアゾール容器に取り付けられた定量噴射用エアゾールバルブとを備え、１回あたりの噴射量が０．２〜０．４ｍＬであり、普通騒音計におけるＡ特性での噴射音の１０秒間の等価騒音レベル６２ｄＢ以下である、トイレ用定量噴射型エアゾール製品。【選択図】なし【特許請求の範囲】
【請求項１】
原液および噴射剤を含むエアゾール組成物が充填されたエアゾール容器と、前記エアゾール容器に取り付けられた定量噴射用エアゾールバルブとを備え、
１回あたりの噴射量が０．２〜０．４ｍＬであり、
普通騒音計におけるＡ特性での噴射音の１０秒間の等価騒音レベル６２ｄＢ以下である、トイレ用定量噴射型エアゾール製品。
【請求項２】
普通騒音計におけるＡ特性での噴射音の最大騒音レベルが７８ｄＢ以下である、請求項１記載のトイレ用定量噴射型エアゾール製品。
【請求項３】
前記原液と前記噴射剤との配合割合（体積比）は、５／９５〜９５／５である、請求項１または２記載のトイレ用定量噴射型エアゾール製品。
【請求項４】
前記定量噴射用エアゾールバルブを介して前記エアゾール容器に取り付けられ、前記エアゾール組成物を噴射するための噴口が形成された噴射部材をさらに備え、
前記原液と前記噴射剤との配合割合（体積比）をＡ、前記噴口の噴口径をＢ（ｍｍ）としたときに、Ａ／Ｂが８．０未満である、請求項１〜３のいずれか１項に記載のトイレ用定量噴射型エアゾール製品。
【請求項５】
請求項１〜４のいずれか１項に記載の定量噴射型エアゾール製品を用いて、普通騒音計におけるＡ特性での噴射音の１０秒間の等価騒音レベルが６２ｄＢ以下となるよう噴射音を発生させる、トイレ用定量噴射型エアゾール製品の使用方法。
【発明の詳細な説明】
【技術分野】
【０００１】
本発明は、トイレ用定量噴射型エアゾール製品およびトイレ用定量噴射型エアゾール製品の使用方法に関する。より詳細には、本発明は、噴射音が小さく、トイレの個室において使用した場合に、使用したことが他人に気づかれにくいトイレ用定量噴射型エアゾール製品およびトイレ用定量噴射型エアゾール製品の使用方法に関する。
【背景技術】
【０００２】
従来、トイレ等において使用され、空間を消臭するためのエアゾール製品が開発されている。このようなエアゾール製品は、使用したことを他人に気づかれにくいように、使用時の音を小さくする要請がある。特許文献１には、ドアに取り付けることができ、エアゾールをハウジング内のフォルダに収納することにより、騒音レベルを低減したエアフレッシュナーが開示されている。
【先行技術文献】
【特許文献】
【０００３】
【特許文献１】特開２００４−１９５２１１号公報
【発明の概要】
【発明が解決しようとする課題】
【０００４】
しかしながら、特許文献１に記載のエアフレッシュナーは、噴射時における装置全体の作動音を低減することを特徴としており、噴射音そのものを低減する技術ではない。そのため、このエアフレッシュナーは、噴射音が発せられることにより、使用したことが他人に気づかれやすい。
【０００５】
本発明は、このような従来の問題に鑑みてなされたものであり、噴射音が小さく、トイレの個室内等において使用した場合に、使用したことが他人に気づかれにくい、トイレ用定量噴射型エアゾール製品およびトイレ用定量噴射型エアゾール製品の使用方法を提供することを目的とする。
【課題を解決するための手段】
【０００６】
本発明者は、鋭意検討した結果、噴射後の所定時間（たとえば１０秒間）において変動する騒音の時間平均値（等価騒音レベル）に着目し、このような等価騒音レベルが一定以下である場合に、使用者が、たとえばトイレの個室内で使用したとしても、使用したことが他人に気づかれにくいことを見出し、本発明を完成させた。すなわち、上記課題を解決する本発明のトイレ用定量噴射型エアゾール製品およびトイレ用定量噴射型エアゾール製品の使用方法には、以下の構成が主に含まれる。
【０００７】
（１）原液および噴射剤を含むエアゾール組成物が充填されたエアゾール容器と、前記エアゾール容器に取り付けられた定量噴射用エアゾールバルブとを備え、１回あたりの噴射量が０．２〜０．４ｍＬであり、普通騒音計におけるＡ特性での噴射音の１０秒間の等価騒音レベル６２ｄＢ以下である、トイレ用定量噴射型エアゾール製品。
【０００８】
（２）普通騒音計におけるＡ特性での噴射音の最大騒音レベルが７８ｄＢ以下である、（１）記載のトイレ用定量噴射型エアゾール製品。
【０００９】
（３）前記原液と前記噴射剤との配合割合（体積比）は、５／９５〜９５／５である、（１）または（２）記載のトイレ用定量噴射型エアゾール製品。
【００１０】
（４）前記定量噴射用エアゾールバルブを介して前記エアゾール容器に取り付けられ、前記エアゾール組成物を噴射するための噴口が形成された噴射部材をさらに備え、前記原液と前記噴射剤との配合割合（体積比）をＡ、前記噴口の噴口径をＢ（ｍｍ）としたときに、Ａ／Ｂが８．０未満である、（１）〜（３）のいずれかに記載のトイレ用定量噴射型エアゾール製品。
【００１１】
（５）（１）〜（４）のいずれかに記載の定量噴射型エアゾール製品を用いて、普通騒音計におけるＡ特性での噴射音の１０秒間の等価騒音レベルが６２ｄＢ以下となるよう噴射音を発生させる、トイレ用定量噴射型エアゾール製品の使用方法。
【発明の効果】
【００１２】
本発明によれば、噴射音が小さく、トイレの個室内等において使用した場合に、使用したことが他人に気づかれにくい、トイレ用定量噴射型エアゾール製品およびトイレ用定量噴射型エアゾール製品の使用方法を提供することができる。
【発明を実施するための形態】
【００１３】
＜トイレ用定量噴射型エアゾール製品＞
本発明の一実施形態のトイレ用定量噴射型エアゾール製品（以下、単にエアゾール製品ともいう）は、原液および噴射剤を含むエアゾール組成物が充填されたエアゾール容器と、エアゾール容器に取り付けられた定量噴射用エアゾールバルブ（以下、単にエアゾールバルブともいう）と、エアゾールバルブを介してエアゾール容器に取り付けられる噴射部材とを備える。エアゾール製品は、１回あたりの噴射量が０．２〜０．４ｍＬであり、普通騒音計におけるＡ特性での噴射音の１０秒間の等価騒音レベルが６２ｄＢ以下である。以下、それぞれについて説明する。なお、以下の説明は例示であり、エアゾール容器、エアゾールバルブおよび噴射部材は、適宜設計変更され得る。
【００１４】
（エアゾール容器）
エアゾール容器は、エアゾール組成物を加圧充填するための耐圧容器である。エアゾール容器は、内部にエアゾール組成物が充填される空間が形成された概略筒状の容器である。エアゾール容器の上部には開口が設けられている。開口は、後述するエアゾールバルブによって密封される。
【００１５】
エアゾール容器の材質は特に限定されない。一例を挙げると、エアゾール容器は、耐圧性を有する各種金属製、樹脂製、ガラス製等であってもよい。
【００１６】
（エアゾール組成物）
エアゾール組成物は、エアゾール製品の内容物であり、原液および噴射剤を含む。
【００１７】
・原液
原液は、噴射剤とともにエアゾール組成物を構成し得る成分である。原液は、エアゾール組成物が調製される際に、エアゾール容器に充填される。原液は、有効成分を含むことができる。有効成分とは、たとえば、消臭成分、芳香成分、殺菌成分（防黴成分）等である。
【００１８】
消臭成分の種類は、特に限定されない。消臭成分は、たとえば、ツバキ、バラ、キク、マツ、スギ、オオバコ等の植物抽出エキス；茶抽出物、カテキン、植物ポリフェノール、リナロール、メントール、ボルネオール等の植物精油；ラウリルメタクリレート、メチル化サイクロデキストリン、ゲラニルクロトネート、ミリスチル酸アセトフェノン、パラメチルアセトフェノンベンズアルデヒド等である。
【００１９】
芳香成分の種類は、特に限定されない。芳香成分は、たとえば、じゃ香、ベルガモット油、シンナモン油、シトロネラ油、レモン油、レモングラス油、ハッカ油、ペパーミント油、スペアミント油、オレンジ油、ユーカリ油、ラベンダー油、イグサ、ヒノキ等の天然香料；ピネン、リモネン、リナロール、メントール、ボルネオール、オイゲノール、シトラール、シトロネラール、ゲラニオール、ウンデカラクトン、フェネチルアルコール等の人工香料等である。
【００２０】
殺菌成分の種類は、特に限定されない。殺菌成分は、たとえば、イソプロピルメチルフェノール、トリクロサン、チモール、塩酸アルキルジアミノエチルグリシン、銀イオン等である。
【００２１】
有効成分が含有される場合、有効成分の含有量は、有効成分の効果（たとえば、消臭成分であれば消臭効果）を示す含有量であればよく、有効成分の含有量の上限は特に限定されない。有効成分の含有量は、たとえば、エアゾール組成物中に０．０１質量／容量％（ｗ／ｖ％）以上であることが好ましく、０．１質量／容量％（ｗ／ｖ％）以上であることがより好ましい。また、有効成分の含有量は、たとえば、エアゾール組成物中に１０質量／容量％（ｗ／ｖ％）以下であることが好ましく、５．０質量／容量％（ｗ／ｖ％）以下であることがより好ましい。上記の配合量であれば、充分な消臭効果や芳香が得られ得る。
【００２２】
原液は、溶剤が配合されてもよい。溶剤は、たとえば消臭成分等の有効成分を均一に配合するために好適に含有される。一例を挙げると、溶剤は、エタノール、イソプロパノール等の低級アルコール、グリセリン、エチレングリコール等の多価アルコール、直鎖、分岐鎖または環状のパラフィン類、灯油等の石油類、プロピレングリコールモノメチルエーテル、ジプロピレングリコールジメチルエーテル等のグリコールエーテル類、水、ミリスチン酸イソプロピル、ラウリン酸ヘキシル等のエステル類等である。
【００２３】
溶剤の含有量は、有効成分１質量部に対して０．５質量部以上であることが好ましく、１質量部以上であることがより好ましい。また、溶剤の含有量は、有効成分１質量部に対して１０００質量部以下であることが好ましく、５００質量部以下であることがより好ましい。上記範囲内であれば、原液は、有効成分を均一に配合しやすい。
【００２４】
原液には、上記有効成分のほか、非イオン、陰イオンまたは陽イオン界面活性剤、ブチルヒドロキシトルエン等の抗酸化剤；クエン酸、アスコルビン酸等の安定化剤；タルク、珪酸等の無機粉体、色素等の任意成分が適宜含有されてもよい。
【００２５】
・噴射剤
噴射剤は、上記原液を噴射するための媒体であり、原液とともにエアゾール容器に加圧充填される。噴射剤は特に限定されない。一例を挙げると、噴射剤は、ハイドロフルオロオレフィン、ジメチルエーテル（ＤＭＥ）、液化石油ガス（ＬＰＧ）等である。なお、上記噴射剤は、２以上の噴射剤を組み合わせて使用してもよい。
【００２６】
ハイドロフルオロオレフィンは、ハイドロフルオロ−１−プロペンが例示される。具体的には、ハイドロフルオロプロペンは、１，３，３，３−テトラフルオロプロペン、２，３，３，３−テトラフルオロプロペン、２，３，３−トリフルオロプロペン、３，３，３−トリフルオロプロペン、１−クロロ−３，３，３−トリフルオロプロペン等が例示される。１−クロロ−３，３，３−トリフルオロプロペンは、（Ｅ）−１−クロロ−３，３，３−トリフルオロプロペン等が例示される。
【００２７】
なお、本実施形態のエアゾール組成物は、上記噴射剤に加えて、エアゾール組成物の圧力を調整するために、炭酸ガス、窒素ガス、圧縮空気、酸素ガス等の圧縮ガスが併用されてもよい。
【００２８】
エアゾール組成物の原液と噴射剤の配合割合（体積比）は、５／９５〜９５／５であることが好ましく、１０／９０〜９０／１０であることがより好ましく、２０／８０〜８０／２０であることがさらに好ましい。このような体積比とすることで、エアゾール製品は、吐出時の噴射音の１０秒間の等価騒音レベルが６２ｄＢ以下となるよう調整しやすい。その結果、エアゾール製品は、トイレの個室内等において使用された場合に、使用されたことが他人に気づかれにくい。
【００２９】
（エアゾールバルブ）
エアゾールバルブは、エアゾール容器内に充填されたエアゾール組成物を取り出すための機構であり、エアゾール容器の開口を閉止する。また、本実施形態のエアゾールバルブは、エアゾール容器から取り出されたエアゾール組成物を一時的に貯留するための定量室が形成されている。定量室の容積は、１回の噴射によって噴射されるエアゾール組成物の容量に相当する。本実施形態の定量室の容積は、０．２〜０．４ｍＬである。
【００３０】
エアゾールバルブは、噴射部材が使用者により操作されることによりエアゾールバルブの定量室の内部と外部との連通および遮断を切り替えるための開閉部材と、開閉部材が取り付けられるハウジングと、ハウジングをエアゾール容器の所定の位置に保持するためのマウント部材を備える。また、開閉部材は、噴射部材と連動して上下に摺動するステムを含む。ステムの摺動によりエアゾール組成物の連通（噴射状態）および遮断（非噴射状態）が切り替えられる。エアゾールバルブには、エアゾール容器からエアゾール組成物を取り込むためのハウジング孔と、取り込まれたエアゾール組成物を噴射部材に送るためのステム孔とが形成されている。ハウジング孔は、ハウジングに形成されている。ステム孔は、ステムに形成されている。ハウジング孔からステム孔までの経路は、エアゾール組成物が通過する内部通路を構成する。
【００３１】
ステムは、エアゾールバルブに取り付けられる部位であり、エアゾールバルブに取り込まれたエアゾール組成物を、噴射ボタンに送るための内部通路が形成されている。内部通路は、ステムラバーによって適宜開閉される。
【００３２】
原液および噴射剤が充填された状態において、２０℃におけるエアゾールバルブの内圧は、０．１５Ｐａ以上であることが好ましく、０．１６ＭＰａ以上であることがより好ましい。また、２０℃におけるエアゾールバルブの内圧は、０．８０ＭＰａ以下であることが好ましく、０．７０ＭＰａ以下であることがより好ましい。このような範囲にエアゾールバルブの内圧を調整することで、エアゾール製品は、吐出時の噴射音の１０秒間の等価騒音レベルが６２ｄＢ以下となるよう調整しやすい。その結果、エアゾール製品は、トイレの個室内等において使用された場合に、使用されたことが他人に気づかれにくい。なお、エアゾールバルブの内圧が０．１５ＭＰａ未満である場合、エアゾール製品は、極端に噴射音が小さくなりやすく、他人だけではなく使用者本人も使用したことを実感しにくい。また、エアゾール組成物は、噴射後に、噴口から液ダレする可能性がある。一方、エアゾールバルブの内圧が０．８０ＭＰａを超える場合、エアゾール組成物は、エアゾール容器から漏洩する可能性がある。なお、エアゾールバルブの内圧は、たとえば２０℃でＷＧＡ−７１０Ｃ計装用コンディショナ（（株）共和電業製）に取り付けたＰＧＭ−１０ＫＥ小型圧力センサ（（株）共和電業製）をエアゾールバルブに接続することにより測定することができる。
【００３３】
（噴射部材）
噴射部材は、エアゾール容器から取り込まれた原液を、噴射剤とともに噴射するための部材である。噴射部材には、エアゾール組成物を噴射するための噴口が形成されている。噴口の数、寸法、形状および断面積は、後述する等価騒音レベルが６２ｄＢ以下となるように、必要に応じて適宜選択され得る。そのため、本実施形態のエアゾール製品は、等価騒音レベルが６２ｄＢ以下となる範囲において、種々の噴口が形成された噴射部材を採用し得る。
【００３４】
噴口の数、寸法および形状は特に限定されない。一例を挙げると、噴口の数は、１個であってもよく、２個以上であってもよい。また、噴口の寸法（噴口直径）は、０．１ｍｍ以上であることが好ましく、０．２ｍｍ以上であることがより好ましく、０．３ｍｍ以上であることがさらに好ましい。また、噴口直径は、３．０ｍｍ以下であることが好ましく、２．０ｍｍ以下であることがより好ましく、１．０ｍｍ以下であることがさらに好ましい。噴口の形状（断面形状）は、円形、楕円形、角形、各種不定形であってもよい。
【００３５】
また、噴口の総断面積（総開口面積）は特に限定されない。総断面積は、後述する等価騒音レベルが６２ｄＢ以下となるように、必要に応じて適宜調整される。一例を挙げると、総断面積は、０．００７５ｍｍ2以上であることが好ましく、０．０３ｍｍ2以上であることがより好ましい。また、総断面積は、７．１０ｍｍ2以下であることが好ましく、３．２０ｍｍ2以下であることがより好ましい。なお、本実施形態において、「総断面積」とは、噴口の断面積（開口面積）の合計面積である。すなわち、噴口が１個である場合、総断面積は、噴口の断面積そのものであり、噴口が２個以上である場合、総断面積は、すべての噴口の断面積の和である。
【００３６】
また、本実施形態のエアゾール製品は、上記エアゾール組成物の原液と噴射剤の配合割合（体積比）をＡ、噴口の噴口径をＢ（ｍｍ）としたときに、Ａ／Ｂが８．０未満であることが好ましく、４．３以下であることがより好ましい。Ａ／Ｂが上記範囲内であることにより、エアゾール製品は、使用後に噴口の周囲から液ダレを生じにくい。
【００３７】
噴射部材内の噴射通路の長さは特に限定されない。噴射通路の長さは、後述する等価騒音レベルが６２ｄＢ以下となるように、必要に応じて適宜調整される。一例を挙げると、噴射通路の長さは、５．０ｍｍ以上であることが好ましく、８．０ｍｍ以上であることがより好ましい。また、噴射通路の長さは、７０ｍｍ以下であることが好ましく、６５ｍｍ以下であることがより好ましい。なお、本実施形態において、「噴射通路の長さ」とは、ステム先端から噴口までの長さである。
【００３８】
本実施形態のエアゾール製品は、使用者によって噴射ボタンが操作されることにより、ステム機構およびエアゾールバルブが作動し、バルブの定量室内と外部とが連通する。これにより、バルブの定量室内のエアゾール組成物は、バルブの定量室内と外部との圧力差に従ってエアゾール容器から一定量が取り出され、噴射部材の噴口から噴射される。
【００３９】
本実施形態のエアゾール製品は、１回あたりの噴射量が０．２〜０．４ｍＬとなるよう調整されている。１回あたりの噴射量が０．２ｍＬ未満である場合、エアゾール製品は、極端に噴射音が小さくなりやすく、他人だけではなく使用者本人も使用したことを実感しにくい。一方、１回あたりの噴射量が０．４ｍＬを超える場合、エアゾール製品は、噴射音が大きくなりやすく、他人にエアゾール製剤を使用したことが実感されやすい。
【００４０】
本実施形態のエアゾール製品は、普通騒音計におけるＡ特性での噴射音の１０秒間の等価騒音レベル）が６２ｄＢ以下である。等価騒音レベルは、６２ｄＢ以下となるよう調整されていればよく、６０ｄＢ以下であることが好ましく、５８ｄＢ以下であることがより好ましい。なお、等価騒音レベルの下限は特に限定されない。使用者本人が、エアゾール製品を使用したことを実感しやすい観点から、等価騒音レベルは、５０ｄＢ以上であることが好ましい。等価騒音レベルが６２ｄＢ以下である場合、エアゾール製品は、噴射音が小さく、トイレの個室内等において使用された場合に、使用されたことが他人に気づかれにくい。なお、等価騒音レベルは、時間的に変動する場合の騒音レベルを定量的に把握するための数値であり、ＪＩＳ  Ｚ８７３１−１９９９に基づき、ある一定の測定時間内（本実施形態では１０秒間）における変動騒音の平均２乗音圧に等しい平均２乗音圧を与える連続定常音の騒音レベルとして定義される。等価騒音レベルの値が小さいほど、騒音が少なく静かであるといえる。また、Ａ特性とは、騒音計による測定につかわれる人間の聴覚を考慮した周波数の重み付け特性をいう。本実施形態の等価騒音レベルは、たとえば、普通騒音計ＮＬ−２１（リオン（株）製）にて、エアゾール製品の噴口の真横１０ｃｍの距離から、Ａ特性にて測定することにより算出することができる。また、本実施形態の等価騒音レベルは、バックグラウンドの等価騒音レベルが３５．６ｄＢである場合の騒音レベルである。本実施形態のエアゾール製品は、上記等価騒音レベルを達成していることにより、トイレの個室等（この場合のバックグラウンドは、３５．６ｄＢ程度である）において使用された場合であっても、使用されたことが他人に気づかれにくい。なお、本実施形態のエアゾール製品が示す等価騒音レベルが、いかに小さい音であるかを説明するために、種々の環境における等価騒音レベルを例示する。たとえば、タクシー等の静かな乗用車の車内は６０ｄＢ程度であり、地下鉄の車内は８０ｄＢ程度であり、２ｍ離れたセミの鳴き声の音量は７０ｄＢ程度である。そのため、本実施形態のエアゾール製品が達成しているような６２ｄＢ以下という等価騒音レベルは、たとえばトイレの洗浄音と同程度若しくはそれ以下であるといえ、非常に小さな音であることが分かる。すなわち、本実施形態のエアゾール製品は、たとえばトイレで用を足した後に、トイレを流す際に使用すれば、外部にはトイレを流している音が聞こえるに過ぎず、エアゾール組成物を噴射したことは認識されにくい。
【００４１】
本実施形態において、等価騒音レベルとバックグラウンドの騒音レベルとの差は、２６．４ｄＢ以下であることが好ましく、２４．４ｄＢ以下であることがより好ましい。等価騒音レベルとバックグラウンドの騒音レベルとの差が２２．４ｄＢ以下であることにより、エアゾール製品は、トイレの個室等で使用された場合に、使用されたことが他人により気づかれにくい。
【００４２】
また、本実施形態のエアゾール製品は、普通騒音計におけるＡ特性での噴射音の最大騒音レベルが７８ｄＢ以下であることが好ましく、７６ｄＢ以下であることがより好ましい。なお、最大騒音レベルの下限は特に限定されない。使用者本人が、エアゾール製品を使用したことを実感しやすい観点から、最大騒音レベルは、６０ｄＢ以上であることが好ましい。なお、最大騒音レベルは、実測時間内の騒音レベルの最大値を表す。本実施形態の最大騒音レベルは、たとえば、普通騒音計ＮＬ−２１（リオン（株）製）にて、エアゾール製品の噴口の真横１０ｃｍの距離から、Ａ特性にて測定することにより算出することができる。また、本実施形態の最大騒音レベルは、バックグラウンドの最大騒音レベルが３９．０ｄＢである場合の騒音レベルである。
【００４３】
なお、本実施形態のエアゾール製品は、１回あたりの噴射量を０．２〜０．４ｍＬとなるよう調整し、かつ、普通騒音計におけるＡ特性での噴射音の１０秒間の等価騒音レベルが６２ｄＢ以下となるよう調整されることにより、トイレの個室等で使用された場合に、使用されたことが他人により気づかれにくい。１回あたりの噴射量を上記範囲内に調整する方法や、等価騒音レベルを調整する方法は特に限定されない。また、等価騒音レベルは、上記１回あたりの噴射量を調整する方法のほか、２５℃におけるエアゾールバルブの内圧を調整したり、原液と噴射剤との配合割合を調整したり、噴射部材の数や寸法、形状等を調整することにより、適宜調整し得る。
【００４４】
本実施形態のエアゾール製品の製造方法は特に限定されない。一例を挙げると、エアゾール製品は、エアゾール容器に原液を充填し、エアゾールバルブによってエアゾール容器の開口を閉止し、噴射部材の噴口またはステムを介して噴射剤を加圧充填することによって製造することができる。
【００４５】
以上、本実施形態のエアゾール製品は、１回あたりの噴射量、および、等価騒音レベルが所定の範囲内に調整されていることにより、トイレの個室等で使用された場合に、使用されたことが他人により気づかれにくい。
【００４６】
＜トイレ用定量噴射型エアゾール製品の使用方法＞
本発明の一実施形態のトイレ用定量噴射型エアゾール製品の使用方法は、上記した定量噴射型エアゾール製品を用いて、普通騒音計におけるＡ特性での噴射音の１０秒間の等価騒音レベルが６２ｄＢ以下となるよう噴射音を発生させる方法である。このような方法によれば、トイレの個室等でエアゾール製品が使用された場合に、使用されたことが他人により気づかれにくい。なお、本実施形態のエアゾール製品の使用方法が実施される際の等価騒音レベルは、バックグラウンドの等価騒音レベルが３５．６ｄＢである場合の騒音レベルである。
【実施例】
【００４７】
以下、実施例により本発明をより具体的に説明する。本発明は、これら実施例に何ら限定されない。なお、特に制限のない限り、「％」は「質量％」を意味し、「部」は「質量部」を意味する。
【００４８】
使用したエアゾール製品の詳細を以下に示す。なお、それぞれのステム孔（Ｓｔ）の噴口直径（ｍｍ）および個数、アンダータップ孔（ＵＴ）の噴口直径（ｍｍ）、ベーパータップ孔（ＶｐＴ）の噴口直径（ｍｍ）に関しては、表１に記載した。
エアゾール製品１：噴射部材（噴口径φ０．３ｍｍ、開口面積０．０７０６５ｍｍ2、噴口の断面形状が円形の噴口１個、噴射通路の長さ１３．０ｍｍ）、エアゾールバルブ（定量室の容量０．２ｍＬ）
エアゾール製品２：噴射部材（噴口径φ０．３５ｍｍ、開口面積０．０９６１６ｍｍ2、噴口の断面形状が円形の噴口１個、噴射通路の長さ１３．０ｍｍ）、エアゾールバルブ（定量室の容量０．２ｍＬ）
エアゾール製品３：噴射部材（噴口径φ０．５ｍｍ、開口面積０．１９６３ｍｍ2、噴口の断面形状が円形の噴口１個、噴射通路の長さ１１．５ｍｍ）、エアゾールバルブ（定量室の容量０．２ｍＬ）
エアゾール製品４：噴射部材（噴口径φ０．６ｍｍ、開口面積０．２８２６ｍｍ2、噴口の断面形状が円形の噴口１個、噴射通路の長さ１２．２ｍｍ）、エアゾールバルブ（定量室の容量０．２ｍＬ）
エアゾール製品５：噴射部材（噴口径φ０．６ｍｍ、開口面積０．２８２６ｍｍ2、噴口の断面形状が円形の噴口１個、噴口裏面に噴射拡散用の溝を有し、噴口とノズルとの間に隙間を設けた構造を有しており、ストレート噴射と拡散噴射を同時に行うことが可能、噴射通路の長さ１０．８ｍｍ）、エアゾールバルブ（定量室の容量０．２ｍＬ）
エアゾール製品６：噴射部材（噴口径φ０．９ｍｍ、開口面積０．６３５９ｍｍ2、噴口の断面形状が円形の噴口１個、噴射通路の長さ１１．５ｍｍ）、エアゾールバルブ（定量室の容量０．２ｍＬ）
エアゾール製品７：噴射部材（噴口径φ０．３ｍｍ、開口面積０．０７０６５ｍｍ2、噴口の断面形状が円形の噴口１個、噴射通路の長さ１３．０ｍｍ）、エアゾールバルブ（定量室の容量０．４ｍＬ）
エアゾール製品８：噴射部材（噴口径φ０．４ｍｍの半円形状の噴口２個と噴口径φ０．４ｍｍの半円形状とその半円形状に接し、０．４×０．２ｍｍの長方形形状の噴口２組、開口面積０．４１１２ｍｍ2、噴射通路の長さ５０．０ｍｍ）、エアゾールバルブ（定量室の容量０．４ｍＬ）
【００４９】
＜騒音レベルと噴射音の聞こえやすさとの関係について＞
（実施例１）
９９．５％エタノール溶液を原液とし、この原液を、容量７１ｍＬのエアゾール容器に２５ｍＬ充填し、エアゾールバルブを取り付けた後、原液と噴射剤との配合割合（体積比）が５０／５０となるよう噴射剤（液化石油ガス  飽和蒸気圧：０．４９ＭＰａ（２５℃））を加圧充填し、噴射部材を取り付け、エアゾール製品を作製した（エアゾールバルブ、噴射部材はエアゾール製品２を用いた）。エアゾールバルブの内圧（２０℃）は０．３８８ＭＰａであった。なお、バルブの内圧は、２０℃でＷＧＡ−７１０Ｃ計装用コンディショナ（（株）共和電業製）に取り付けたＰＧＭ−１０ＫＥ小型圧力センサ（（株）共和電業製）をエアゾールバルブに接続することにより測定した。
【００５０】
（実施例６６）
以下の表２に記載の原液処方、噴射剤の種類およびガス圧、バルブ内圧、使用したエアゾール製品の種類を変更した以外は、実施例１と同様の方法により、エアゾール組成物およびエアゾール製品を調製した。
【００５１】
（比較例１）
比較例１として、市販のトイレ用消臭スプレー（市販品Ａ）を使用した。なお、この市販品Ａは、原液（有効成分１２．５％および９９．５％エタノール８７．５％）と、噴射剤（０．４９ＭＰａ（２５℃）のＬＰＧ）との配合割合（体積比）が３０／７０であり、エアゾールバルブの内圧が０．４３３ＭＰａ（２０℃）であり、１回噴射量が０．２ｍＬであった。
【００５２】
（比較例２）
比較例２として、市販のトイレ用消臭スプレー（市販品Ｂ）を使用した。なお、この市販品Ｂは、原液（有効成分５．７％および９９．５％エタノール９４．３％）と、噴射剤（０．３９ＭＰａ（２５℃）のＬＰＧ）との配合割合（体積比）が７／９３（体積比）であり、エアゾールバルブの内圧が０．３７８ＭＰａ（２０℃）であり、連続噴射型であった。
【００５３】
（比較例３）
比較例３として、市販のトイレ用消臭スプレー（市販品Ｃ）を使用した。なお、この市販品Ｃは、原液（有効成分１５％および９９．５％エタノール８５％）と、噴射剤（組成不明）との配合割合（体積比）が１５／８５（体積比）であり、エアゾールバルブの内圧が０．３５４ＭＰａ（２０℃）であり、連続噴射型であった。
【００５４】
（比較例４）
比較例４として、市販のトイレ用消臭スプレー（市販品Ｄ）を使用した。なお、この市販品Ｄは、原液（有効成分１５％および９９．５％エタノール８５％）と、噴射剤（組成不明）との配合割合（体積比）が２０／８０（体積比）であり、エアゾールバルブの内圧が０．３３０ＭＰａ（２０℃）であり、連続噴射型であった。
【００５５】
実施例１、実施例６６、比較例１〜４の製品を、それぞれ男性トイレの個室にて、１回噴射（連続噴射型の製品は１秒噴射）し、個室外に漏れ聞こえる音について、以下の評価基準にしたがって６名の試験者が評価し、平均を算出した。また、それぞれの製品を、普通騒音計ＮＬ−２１（リオン（株）製）にて、製品の噴口の真横１０ｃｍの距離から、Ａ特性にて、等価騒音レベルおよび最大騒音レベルを測定した。測定時における、バックグラウンドの等価騒音レベルは３５．６Ｂであった。測定時における、バックグラウンドの最大騒音レベルは３９．０ｄＢであった。結果を表１に示す。
【００５６】
（評価基準）
５：噴射音が大きく漏れ聞こえた。
４：噴射音が漏れ聞こえ、気になる程度であった。
３：噴射音が漏れ聞こえたが、気にならない程度であった。
２：噴射音がわずかに漏れ聞こえ、気にならない程度であった。
１：噴射音が漏れ聞こえなかった。
【００５７】
【表１】
2019206362.tif 000002
【００５８】
表１に示されるように、実施例１および実施例６６の製品が示した等価騒音レベルが６２ｄＢ程度を境として、等価騒音レベルが６２ｄＢよりも大きな噴射音であった場合に評価結果が３．５を超える（噴射音が気になると評価した評価者が半数以上となる）ことが分かった。これより、等価騒音レベルが６２ｄＢ以下であることが、トイレの個室内においてエアゾール製品を使用した場合に、使用したことが他人に気づかれにくいための騒音レベルであることが判明した。同様に、最大騒音レベルは、７８ｄＢ以下であることにより、トイレの個室内においてエアゾール製品を使用した場合に、使用したことが他人に気づかれにくいための騒音レベルとしてより適切であることが判明した。また、トイレの洗浄音に関しても同様の評価を行ったところ、評価結果が３．６となった。このことから、実施例１および実施例６６のエアゾール製品は、トイレの洗浄時に使用することにより、噴射音が外部で認識されにくいことが分かった。
【００５９】
＜種々のエアゾール製品における騒音レベルと、聞こえやすさおよび液ダレ防止効果の確認＞
（実施例２〜８５、比較例５〜１２）
以下の表２に記載の原液処方、噴射剤の種類およびガス圧、バルブ内圧、使用したエアゾール製品の種類（エアゾール製品１〜８のいずれか）を変更した以外は、実施例１と同様の方法により、エアゾール組成物およびエアゾール製品を調製した。得られた製品に関して、以下の評価方法により、噴射時の等価騒音レベル、最大騒音レベルおよび液ダレ防止効果を確認した。試験は、いずれも２５℃で行った。結果を表２に示す。なお、表２において、それぞれの実施例および比較例に記載の数値結果は、上段が最大騒音レベルであり、下段が等価騒音レベルである。また、液ダレ防止効果の評価結果は等価騒音レベルの下欄に記載されている。
【００６０】
（騒音レベルの確認方法）
普通騒音計ＮＬ−２１（リオン（株）製）にて、エアゾール製品の噴口の真横１０ｃｍの距離から、Ａ特性にて、等価騒音レベルおよび最大騒音レベルを測定した。測定時における、バックグラウンドの等価騒音レベルが３５．６ｄＢ、バックグラウンドの最大騒音レベルが３９．０ｄＢであった。
【００６１】
（液ダレ防止効果の確認方法）
エアゾール製品を１回噴射し、噴口廻りを目視で確認し、以下の評価基準にしたがって、液ダレ防止効果を確認した。
（評価基準）
○：液ダレは生じなかった。
△：わずかに液ダレが生じたが、許容範囲内であった。
×：液ダレが生じた。
【００６２】
【表２】
2019206362.tif 000003
【００６３】
表２に示されるように、実施例１〜８５のエアゾール製品は、１回あたりの噴射量が０．２〜０．４ｍＬであり、かつ、等価騒音レベルが６２ｄＢ以下であった。そのため、実施例１〜８５のエアゾール製品は、種々のエアゾール組成物や噴射部材を用いた場合であっても、表１に関連して説明したように、トイレの個室内において製品を使用した場合に、使用したことが個室外の他人に気づかれにくいと考えられた。また、これらの傾向は、最大騒音レベルを参照した場合も、同様であった。一方、比較例５〜１２の製品は、いずれも等価騒音レベルが６２ｄＢを超えたため、トイレの個室内において製品を使用した場合に、使用したことが個室外の他人に気づかれ得るか、気づかれやすいと考えられた。したがって、トイレの個室内において製品を使用した場合に、使用したことが個室外の他人に気づかれにくいためには、単に等価騒音レベルが６２ｄＢ以下であるかだけでなく、１回あたりの噴射量が０．２〜０．４ｍＬに調整されていることも重要であることが示された。